(57)【要約】  【課題】良好な動作を担保しつつ製造コストを有効に抑えることができるレーザポインタを提供する。  【解決手段】ペン型の筐体１と、各スイッチ５１、５２、５３、５４が操作された場合に操作力が厚み方向に作用する形で各スイッチ５１、５２、５３、５４を支持する基板５とを具備するレーザポインタであって、筐体１に、基板５の両側縁５ａ、５ａが厚み方向に移動することを規制する規制手段Ｚを一体に設けていることを特徴とする。  【選択図】図５
2006330207.tif 000002
【特許請求の範囲】
【請求項１】
ペン型の筐体と、当該筐体の外側から手動で操作するための操作部と、当該操作部が操作された場合に操作力が厚み方向に作用する形で前記操作部を支持する基板とを具備するレーザポインタであって、
前記筐体に、前記基板の両側縁が厚み方向に移動することを規制する規制手段を一体に設けていることを特徴とするレーザポインタ。
【請求項２】
前記規制手段を、前記基板を挿入する挿入始端位置から挿入終端位置に亘って設けている請求項１記載のレーザポインタ。
【請求項３】
前記規制手段を、前記基板の厚み方向に移動不能に構成している請求項１又は２記載のレーザポインタ。
【請求項４】
前記規制手段を前記筐体の肉厚を変化させて形成した溝又は入り隅によって構成している請求項１、２又は３記載のレーザポインタ。
【請求項５】
前記筐体を円筒状のものとしている請求項１、２、３又は４記載のレーザポインタ。
【請求項６】
前記規制手段を、前記筐体の内面に形成された対向する一対の入り隅としている請求項１、２、３、４又は５記載のレーザポインタ。
【発明の詳細な説明】
【技術分野】
【０００１】
本発明は、プレゼンテーション等に用いられ、レーザ光により所望の箇所を指し示すレーザポインタに関するものである。
【背景技術】
【０００２】
従来、会議等で行われるプレゼンテーションにおいて、発表者が表示画面の所望の箇所を指し示すために、以前使われていた指示棒に代わって、レーザ光によって使用者から遠く離れた箇所も容易に指し示す事ができるレーザポインタが多く使われるようになっている。なかでもペン型のレーザポインタは持ち運びがし易い上に扱いやすく、特に多く使われるようになっている。さらに、レーザポインタは単にレーザを指し示す機能のみならず、近年主流となっているパーソナルコンピュータを用いたプレゼンテーションを好適に行えるようにするため、例えば、プレゼンテーション画面のスクロールを行ったり、パーソナルコンピュータのポインティングデバイスの機能を備える等、パーソナルコンピュータを無線により操作する機能が付与されたものも提案されている（例えば、非特許文献１参照）。
【０００３】
そして、このようなペン型のレーザポインタＰ１は、図８に示すように、通常ペン型の筐体１００の内部にレーザ光を発光する照射部と、レーザを発光させる操作やパーソナルコンピュータ等を操作する機能を行うための電子部品やボタンやダイヤル等の手動で操作される操作部Ｘを搭載した基板５００と、単４電池などの電源を内蔵した構造となっている。そして基板１００は同図に示すように、手動での操作によって操作部Ｘを介して基板１００が撓んだりしないように格別の部材としての樹脂パーツＪに支持された状態で筐体１００に取り付けられた態様となっている。
【非特許文献１】「コクヨ ２００５オフィスサプライズ編」、コクヨ株式会社、平成１６年１２月、p．３１７
【発明の開示】
【発明が解決しようとする課題】
【０００４】
ここで、もしこのような格別の部材が無く筐体に対して基板が十分に支持されていないと、基板に取り付けられた電子部品が筐体内で他の部位と接触してしまうといった事がおこり得る。
【０００５】
また、格別の部材である樹脂パーツに基板を支持させていることによって、レーザポインタの組み付け工程についても、基板に樹脂パーツを支持させた状態としてから筐体内に樹脂パーツを挿入するといった２つの工程が必須の工程となっている。このような格別の部材並びに上述した２つの工程が、部品コストの面からも組み立てコストの面からも、レーザポインタの製造コストの一部を占めているのが現状である。
【０００６】
本発明は、このような不具合に着目したものであり、良好な動作を担保しつつ、製造コストを有効に抑えることができるレーザポインタを提供する。
【課題を解決するための手段】
【０００７】
本発明は、このような目的を達成するために、次のような手段を講じたものである。すなわち、本発明に係るレーザポインタは、ペン型の筐体と、当該筐体の外側から手動で操作するための操作部と、当該操作部が操作された場合に操作力が厚み方向に作用する形で前記操作部を支持する基板とを具備するレーザポインタであって、前記筐体に、前記基板の両側縁が厚み方向に移動することを規制する規制手段を一体に設けていることを特徴とする。
【０００８】
ここで、規制手段の態様は筐体の内面に形成した溝や突条、さらには筐体の内面に形成された入り隅を利用したものであっても良い。また、厚み方向への移動を「規制する」とは、厚み方向に移動不能に構成しているものに限られる事はなく、操作ボタンを押圧する際の基板の移動のみを規制するものも含む概念である。さらに、操作部は使用者の手指に直接触れて操作されるようなものに限られることはない。例えば別体のカバーを介して間接的に操作力が加わるように構成されているものや、筐体を部分的に柔軟に構成するなどして使用者の操作力が筐体を介して伝達され得るものであればよい。
【０００９】
このようなものであれば、筐体の内部に基板を固定するための格別の部材を設ける必要がないため、レーザポインタを構成する部品点数を有効に削減する事ができる。また、基板の両側縁が規制手段によって厚み方向への移動を規制される事により、例えば基板に搭載された電子回路が動いてしまうことを有効に防ぐことができる。
【００１０】
特に、レーザポインタの組み立て工程をさらに簡略化すべく規制手段に基板を取り付ける際の案内ガイドとしての機能を付与するためには、規制手段を、基板を挿入する挿入始端位置から挿入終端位置に亘って設ける事が望ましい。
【００１１】
ここで、規制手段は基板の挿入始端から挿入終端に亘って連続して設けたものであっても間欠的に設けたものであってもよい。
【００１２】
また基板の厚み方向の位置決めを確実に行うためには規制手段を、基板の厚み方向に移動不能に構成している事が望ましい。
【００１３】
基板を配置する上での設計自由度を向上させるための規制手段の具体的な構成として、規制手段を筐体の肉厚を変化させて形成した溝又は入り隅によって構成しているものが好ましい。ここで溝とは、基板の厚み寸法に応じて筐体の肉厚を薄く形成した溝であっても、基板を両側から規制するように２つの突条を形成する事により当該突条の間に形成された溝であっても良い。そして、筐体を円筒状のものとすれば筐体の強度を高く設定する事が可能となる。
【００１４】
また規制手段を実現し得る他の構成として、規制手段を設けるための格別の加工を施すことを有効に回避するのであれば、筐体の内面に形成された対向する一対の入り隅を、規制手段とする態様を挙げる事ができる。
【発明の効果】
【００１５】
本発明によれば、筐体の内部に基板を固定するための格別の部材を設ける必要がないため、レーザポインタを構成する部品点数を有効に削減する事ができる。すなわち、部品点数の削減によるレーザポインタの部品コストと組み付け工程を減らす事による組み立てコストとの両方を削減してレーザポインタの低価格化に寄与する事が可能となる。
【００１６】
そして、樹脂パーツのような格別の部材を用いて基板を支持させなくても、基板の両側縁が規制手段によって厚み方向への移動を規制される事により、例えば基板に搭載された電子回路が動いてしまう可能性を有効に排除することが可能となる。
【発明を実施するための最良の形態】
【００１７】
以下、本発明の一実施の形態について図面を参照して説明する。
【００１８】
本実施形態に係るレーザポインタＰは、図１及び図２に示すように、主として、筐体１と、当該筐体１の外側から手動で操作するための操作部たる後述するレーザスイッチ５１、ページバックスイッチ５２、ページネクストスイッチ５３及びマウススイッチ５４と、当該各スイッチ５１、５２、５３、５４が操作された場合に操作力が厚み方向に作用する形で各スイッチ５１、５２、５３、５４を支持する後述する基板たる第１基板５とを少なくとも具備するものである。
【００１９】
ここで本実施形態に係るレーザポインタＰは、筐体１に、第１基板５の両側縁たる側縁部５ａ、５ａが厚み方向に移動することを規制する規制手段Ｘたる一対の支持用溝１８、１８を一体に設けていることを特徴としたものである。
【００２０】
以下、このレーザポインタＰの各部の具体的な構成について詳述する。
【００２１】
筐体１は、図１、図２及び図３に示すように、例えば真鍮等の金属素材からなり、長手方向に連通した内部空間を有する概略円筒状のペン型をなすものである。この筐体１に、後述する各スイッチカバーＣ１、Ｃ２、Ｃ３、Ｃ４を筐体１の外部に表出させるためのスイッチ用孔１１、１２、１３、１４を長手方向に沿って形成している。具体的には、筐体１の長手寸法略中間位置から先端側に向かって、平面視略縦長楕円形状をなすレーザスイッチ用孔１１、平面視略横長楕円形状をなすページバックスイッチ用孔１２及びページネクストスイッチ用孔１３、さらに平面視円形状をなすマウススイッチ用孔１４をこの順で形成している。なお、本実施形態では、形状が類似しているページバックスイッチカバーＣ２とページネクストスイッチカバーＣ３との区別を容易に認識できるように、ページネクストスイッチカバーＣ３の上端部に突部Ｃ３２を設けている。また図示しないが、各孔の形成箇所近傍に、各スイッチ５２、５３、５４に対応する操作内容を直感し得る文字又は記号（例えば、「Ｌａｓｅｒ」「Ｂａｃｋ」「Ｎｅｘｔ」「Ｍｏｕｓｅ」）を刻印や印字或いはシール体の貼付等により表示している。また、マウススイッチ用孔１４を形成した箇所よりさらに先端側に、平面視略円形状の窓部１５を形成し、この窓部１５にレンズ体１６を嵌入して、この窓部１５及びレンズ体１６を利用して後述する発光体５５の発光状態を視認できるようにしている。さらに、筐体１と基端側キャップ部材３に対して螺合可能に構成している。
【００２２】
しかして、この筐体１の内周面部に、長手方向に沿って連続して延び、且つ後述する第１基板５の厚み寸法に略合致させるように、筐体１の肉厚を減じて形成した規制手段Ｚたる一対の支持用溝１８、１８を、筐体１の先端から基端にかけて形成している。これら一対の支持用溝１８、１８を相互に対向する位置、すなわち筐体１を径方向に２等分し得る位置に形成し、これら支持用溝１８同士の離間距離が筐体１の内径より若干大きくなるようにしている。なお、これら一対の支持用溝１８、１８を結ぶ仮想直線と略直交し得る直線上において対向する一対の溝１９が筐体１の長手方向に形成されているが、これらの溝１９は筐体１の成形時（引抜加工時）に便宜的に形成されたものであり、第１基板５を支持する役割を果たすものではない。本実施形態では、第１基板５を支持する役割を果たさない溝１９の何れか一方と、前記各孔１１、１２、１３、１４及び窓部１５の各中心とを略一致させている。
【００２３】
先端側キャップ部材２は、図１及び図２に示すように一方向側にのみ開放した概略筒状をなし、開放端側に、筐体１の先端部に嵌合可能に構成している。また、先端側キャップ部材２の先端部には、レーザ光線照射用の貫通孔２２を形成している。
【００２４】
基端側キャップ部材３は、図２に示すように、摘み部を有するキャップ本体３１と、キャップ本体３１の内部に圧入され、電池Ｂの端子として機能する端子部材３２とを備えたものである。端子部材３２の内周面を筐体１の基端部に螺合可能に構成している。
【００２５】
内部取付ユニット４は、図４に示すように、主として、所定の受信器と通信するための回路を実装した基板たる第１基板５と、赤色レーザを発光するための回路を実装した第２基板６と、赤色レーザを緑色レーザに変換する波長変換モジュール７とを一体的に設けたものである。具体的には、第１基板５の基端部には、例えば合成樹脂素材からなるスペーサ８と、電池Ｂの端子として機能するバネ部材９とをそれぞれ適宜の取付手段により一体的に取り付けている。また、第１基板５の先端部には、波長変換モジュール７（及び照射部）を設けている。そして波長変換モジュール７の先端部側の所定領域において緑色レーザが照射される発光通路を囲むようにコイル状に巻いてなるコイル状のアンテナＡを設けている。
【００２６】
第１基板５は、両側縁部５ａ、５ａ間の寸法が、筐体１の内周面部に形成した前記一対の支持用溝１８、１８の離間距離と略一致する概略板状のものである。この第１基板５はレーザの発光を操作するレーザスイッチ５１の他に、図示しないパーソナルコンピュータ等の情報処理装置に接続した受信器（本実施形態では２．４５ＧＨｚ周波数帯域の電磁波を受信する受信器）と通信するための回路を実装している。具体的には、第１基板５に、ページバックスイッチ５２、ページネクストスイッチ５３及びマウススイッチ５４の各部品を基端側からこの順で実装し、各スイッチ５２、５３、５４に対して押下力が付与された場合に、これら各スイッチ５２、５３、５４毎に対応する所定の信号、すなわち、図示しない表示画面に表示されている画面を前の画面に切り替える旨の画面戻し信号、同表示画面に表示されている画面を次の画面に切り替える旨の画面送り信号、同表示画面上に表示されるマウスポインタを所定方向に移動する旨のマウスポインタ移動信号を、電磁波を利用して前記受信器に向けて発信するようにしている。本実施形態では、通信方式として、２．４５ＧＨｚ周波数帯域の電磁波を利用したＲＦ（Ｒａｄｉｏ  Ｆｒｅｑｕｅｎｃｙ）方式を採用し、略１０メートル以内にある前記受信器との間で通信可能にしている。
【００２７】
ここで本実施形態において、レーザスイッチ５１、ページバックスイッチ５２、ページネクストスイッチ５３及びマウススイッチ５４は、それぞれ独立して本発明に係る操作部をなすものである。
【００２８】
第２基板６は、第１基板５よりも巾寸法及び長手寸法を小さく設定したものであり、この第２基板６に、赤色レーザを発光するための回路を実装している。なお、レーザを発光するか否かの制御は第１基板５に実装したレーザスイッチ５１に対して押下力が付与された否かにより行われる。また、レーザ光線の発光に連動して点灯する発光体５５を第１基板５に実装している。本実施形態では、この発光体５５をマウススイッチ５４の実装箇所よりさらに先端側に実装している。なお、第２基板６と上述の第１基板５とは、それぞれの長手方向に沿った中心軸を一致させた状態で厚み方向に所定距離離間させた状態で積層され且つ電気的に接続されている。
【００２９】
波長変換モジュール７は、その内部において、例えば図示しない半導体レーザ発光素子が発光する８０８ｎｍの赤色レーザを１０６４ｎｍに変換し、そのレーザを図示しない波長変換結晶に通すことにより波長５３２ｎｍに変換した緑色レーザを照射するものである。
【００３０】
次に、このような各部品からなるレーザポインタＰの組立手順について、図２、図４及び図５を用いて説明する。
【００３１】
先ず、筐体１に形成したレーザスイッチ用孔１１、ページバックスイッチ用孔１２、ページネクストスイッチ用孔１３及びマウススイッチ用孔１４にそれぞれレーザスイッチカバーＣ１、ページバックスイッチカバーＣ２、ページネクストスイッチカバーＣ３、マウススイッチカバーＣ４を取り付ける。なお図５において、各孔１１、１２、１３、１４並びに窓部１５に取り付けられている各スイッチカバーＣ１、Ｃ２、Ｃ３、Ｃ４並びにレンズ体１６の図示を省略している。
【００３２】
次いで図５（ａ）に示すように、第１基板５の側縁部５ａを筐体１の内周面部に設けた支持用溝１８内に嵌入させた姿勢で、内部取付ユニット４を、筐体１の先端側の挿入始端位置Ｚ１から挿入する。そして図５（ｂ）に示すように第１基板５の長手方向に沿った側縁部５ａを支持用溝１８に沿って案内させながら内部取付ユニット４を筐体１の長手方向にスライド移動させる。本実施形態では、図５（ｃ）に示すように、筐体１の先端部とアンテナＡのコイル状部分の始端部とが略一致する所定位置とした際に、第１基板５の側縁部５ａの最も基端部よりの箇所に接している支持用溝１８における位置を挿入終端位置Ｚ２としている。
【００３３】
そして、上述の通り図５では各スイッチカバーＣ１、Ｃ２、Ｃ３、Ｃ４並びにレンズ体１６の図示を省略していたが、図２に示しているように、挿入終端位置Ｚ２まで内部取付ユニット４をスライド移動させた状態では、各スイッチカバーＣ１、Ｃ２、Ｃ３、Ｃ４とこれら各スイッチカバーＣ１、Ｃ２、Ｃ３、Ｃ４に対応する各スイッチ５１、５２、５３、５４とが相互に軽く接触し得る状態となり、発光体５５と筐体１の窓部１５に設けたレンズ体１６とが筐体１の径方向に沿って一致する。なお、マウススイッチ５４の先端部はマウススイッチカバーＣ４の内部空間に収容された状態となる。そして、この取付状態においてアンテナＡが筐体１の先端から突出した状態で表出し、筐体１の先端側に前記先端側キャップ部材２を取り付ける。具体的には、先端側キャップ部材２を筐体１の内周面部に圧入することにより行う。この取付状態において、前記アンテナＡが先端側キャップ部材２により被覆される。次いで、筐体１の基端部側から電池Ｂ（本実施形態では単４電池２個）を挿入し、最後に基端側キャップ部材３の端子部材３２に形成した雄ネジを筐体１の基端部に螺合することにより、基端側キャップ部材３を筐体１の基端部に取り付ける。その結果、端子部材３２及び電池端子用のバネ部材９にそれぞれ電池Ｂが接して通電可能な状態になる。
【００３４】
以上の手順で組み立ててなるレーザポインタＰは、ユーザがレーザスイッチカバーＣ１を押下することにより、レーザスイッチ５１に対してその押下力が付与され、波長変換モジュール７のレンズ部７２を介して照射され且つ先端側キャップ部材２の先端部に形成した貫通孔２２を通過した緑色レーザによって任意の位置を照射して指示することができる。緑色レーザの発光中は、発光体５５が点灯し、筐体１の窓部１５及びレンズ体１６によりその点灯状態を視認することができる。また、ユーザが、ページバックスイッチカバーＣ２、ページネクストスイッチカバーＣ３、又はマウススイッチカバーＣ４を押下することにより、対応する各スイッチ５２、５３、５４に対してその押下力が付与され、各スイッチ５２、５３、５４に対応する前記各信号を電波を利用して前記受信器に向けて発信することができる。この場合、金属製の筐体１が、第１基板５の不要輻射（電波ノイズ）を好適に遮蔽するため、この不要輻射による電波の干渉を有効に防止する事ができる。また、アンテナＡの周囲を合成樹脂製（非金属性）の先端側キャップ部材２により被覆しているため、アンテナＡの放射する電波が無用に減衰する事もない。したがって、電子機器との通信距離を十分に確保する事ができる。
【００３５】
以上のように、本実施形態に係るレーザポインタＰは、ユーザが付与する筐体１の外側からの押下力を各スイッチカバーＣ１、Ｃ２、Ｃ３、Ｃ４を介して間接的に受ける操作部たるレーザスイッチ５１、ページバックスイッチ５２、ページネクストスイッチ５３及びマウススイッチ５４が第１基板５に実装されており、この第１基板５の長手方向に沿った両方の側縁部５ａ、５ａを筐体１に形成した一対の支持用溝１８、１８に支持させることにより、当該一対の支持用溝１８、１８を第１基板５の厚み方向への移動を規制する規制手段Ｚとして機能させている。
【００３６】
斯かる構成とする事により、各スイッチ５１、５２、５３、５４に対して前記押下力が付与された際に、その押下力により、第１基板５がその厚み方向へ移動すること、換言すれば第１基板５が筐体１の径方向に回転して位置ずれすることを好適に規制することができる。つまり、第１基板５の両側縁５ａ、５ａが規制手段Ｚによって厚み方向への移動を規制される事により、例えば第１基板５に搭載された電子回路が押下力によって動いてしまうといった事を有効に防ぐことができる。また、上述の図８に示したレーザポインタＰ１のように、筐体１００の内部に基板５００を固定するための樹脂パーツＪのような格別の部材を設ける必要がないため、レーザポインタＰを構成する部品点数を有効に削減したものとなっている。
【００３７】
また、規制手段Ｚを、第１基板５を挿入する挿入始端位置Ｚ１から挿入終端位置Ｚ２に亘って設けているので、規制手段Ｚは、筐体１に内部取付ユニット４すなわち第１基板５を取り付ける際の案内ガイドとしての作用もそうするものとなっており、斯かる構成により、レーザポインタＰの組み立て工程を従来のレーザポインタＰ１と比べて簡略化したものとなっている。
【００３８】
そして、規制手段Ｚは、第１基板５の厚み方向に移動不能に構成しているため、第１基板５の厚み方向の位置決めを確実に行い得るものとなっている。
【００３９】
さらに、規制手段Ｚを筐体１の肉厚を変化させて形成した一対の支持用溝１８、１８によって構成しているので、簡単な加工によって所望の位置に第１基板５の位置を決定し得るものとなっている。詳細には、筐体１を円筒状のものとして強度の高い形状に設定しつつ、所定位置に規制手段Ｚである一対の支持用溝１８、１８を設定したものとなっている。
【００４０】
なお本実施形態では、従来の図８に係るレーザポインタＰ１とは異なり、樹脂パーツＪの使用を回避する事により、特に図３に示すように第１基板５よりも下方の空間を有効に創出して第２基板６を収納するスペースを有効に確保している。すなわち、筐体１内部の空間を有効に利用し得る様に構成している。つまり、本実施形態に係る規制手段Ｚを採用する事により、第１基板５及び第２基板６といった多重構造とした基板を採用して多くの電子部品を組み込むことにより、レーザポインタＰに種々の機能を付与する事が可能となっている。また言い換えれば、筐体１内部のスペースを有効に活用する事により、より小さな筐体１内に収納して、レーザポインタＰの小型化を図る事が可能となっている。
【００４１】
そして、本実施形態に係る規制手段Ｚは筐体1に形成した支持用溝１８のような筐体１の肉厚を減じて基板たる第1基板５を厚み方向に移動不能に形成した溝に限られるものではなく、図６及び図７に示すような態様としても良い。なお、同図において筐体１並びに基板５０以外の構成要素の記載を省略し、模式的に図示したものとしている。
【００４２】
具体的には、まず図６（ａ）のように、筐体１の内面にそれぞれ２つずつの突条１ｔ、１ｔを形成し、これらの突条１ｔの間に溝１ｓを形成して基板５０を挟み込むようにしてもよい。加えて基板５は上記実施形態の様な２層のものに限られず、同図に示す基板５０のように、１層のみとしたものでもよい。そして同図（ａ）のように突条１ｔを採用した場合には、規制手段Ｚは必ずしも連続して形成されることに限られるものではなく、図６（ｂ）に示すように間欠的に形成したものであっても良い。さらに、基板５０を上下方向に移動不能に形成したものに限られず、図６（ｃ）に示した溝１ｓ並びに図６（ｄ）に示した突条１ｔのように基板５０が上下方向にある程度移動不能に形成したものであっても、他の部品等を組み込んだ際に操作部の操作による基板５０の厚み方向への移動を規制し得るものであればよい。斯かる構成とすれば、溝１ｓの位置を適宜設定して所望の位置に基板を設定する事が可能である。
【００４３】
さらには図７に示すように、規制手段Ｚを、筐体１の内面に形成された対向する一対の入り隅１ｕ、１ｕとしたものであってもよい。
【００４４】
具体的には、図７（ａ）に示すように断面視多角形状すなわち６角形状の筐体１を採用して、対向する入り隅１ｕと入り隅１ｕとの間に基板５０を挿入したものであっても良い。また図７（ｂ）に示すように断面視部分円柱形状の筐体１を用いて、対向している一対の入り隅１ｕ、１ｕを利用して基板５０を支持するようなものであっても良い。さらには図７（ｃ）に示すように、円形状の外側面を有した筐体１であって、肉厚を変化させる事によって内面に対向する一対の入り隅１ｕ、１ｕを形成したものであれば、当該対向する一対の入り隅１ｕ、１ｕの間に基板５０を支持させる事によって本発明に係る規制手段Ｚとする事が可能である。このように、筐体１の内面に形成された入り隅１ｕを利用すれば、規制手段Ｚを設けるための格別の加工を施すことを有効に回避することができる。
【００４５】
以上、本発明の実施形態について説明したが、各部の具体的な構成は、上述した実施形態のみに限定されるものではない。例えば、基板の一方の側縁部を溝によって支持し他方を入り隅によって支持している規制手段を設けたものであってもよい。
【００４６】
その他、本発明の趣旨を逸脱しない範囲で種々変形が可能である。
【図面の簡単な説明】
【００４７】
【図１】本発明の一実施形態に係るレーザポインタの外観図。
【図２】同実施形態に係る断面図。
【図３】図２に係るＸ−Ｘ断面図。
【図４】同実施形態に係る要部説明図。
【図５】同実施形態に係る説明図。
【図６】同実施形態の変形例に係る模式的な断面図。
【図７】同上。
【図８】従来のレーザポインタの構造を示す模式的な断面図。
【符号の説明】
【００４８】
１…筐体
１８…溝（支持用溝）
１ｓ…溝
１ｕ…入り隅
５…基板（第１基板）
５ａ…側縁（側縁部）
５１…操作部（レーザスイッチ）
５２…操作部（ページバックスイッチ）
５３…操作部（ページネクストスイッチ）
５４…操作部（マウススイッチ）
Ｐ…レーザポインタ
Ｚ…規制手段
Ｚ１…挿入始端位置
Ｚ２…挿入終端位置
【図１】
2006330207.tif 000003
【図２】
2006330207.tif 000004
【図３】
2006330207.tif 000005
【図４】
2006330207.tif 000006
【図５】
2006330207.tif 000007
【図６】
2006330207.tif 000008
【図７】
2006330207.tif 000009
【図８】
2006330207.tif 000010